(57)【要約】中継ノード。中継ノードは、プロセッサを含み、プロセッサは、複数のユーザエージェントに対応する複数の媒体アクセス制御層（ＭＡＣ）パケットデータユニット（ＰＤＵ）を多重化することにより、スーパーＭＡＣ  ＰＤＵを形成するように構成される。スーパーＭＡＣ  ＰＤＵは、スーパーＭＡＣ  ＰＤＵヘッダを備え、スーパーＭＡＣ  ＰＤＵヘッダは、複数のスーパーＭＡＣ  ＰＤＵサブヘッダを含み、スーパーＭＡＣ  ＰＤＵサブヘッダのそれぞれは、複数のＭＡＣ  ＰＤＵのそれぞれに対応している。【選択図】図１
2012512600.tif 000002
【特許請求の範囲】
【請求項１】
プロセッサを備える中継ノードであって、
該プロセッサは、複数の媒体アクセス制御層（ＭＡＣ）パケットデータユニット（ＰＤＵ）を多重化するように構成され、該複数のＭＡＣ  ＰＤＵは、スーパーＭＡＣ  ＰＤＵを形成するための複数のユーザエージェントに対応している、中継ノード。
【請求項２】
前記スーパーＭＡＣ  ＰＤＵは、スーパーＭＡＣ  ＰＤＵヘッダを備え、該スーパーＭＡＣ  ＰＤＵヘッダは、複数のスーパーＭＡＣ  ＰＤＵサブヘッダを含み、該スーパーＭＡＣ  ＰＤＵサブヘッダのそれぞれは、該複数のＭＡＣ  ＰＤＵのそれぞれに対応している、請求項１に記載の中継ノード。
【請求項３】
スーパーＭＡＣ  ＰＤＵサブヘッダは、
ユーザエージェント識別情報と、
対応するＭＡＣ  ＰＤＵの長さと、
拡張インジケータと
のうちの少なくとも１つを備える、請求項２に記載の中継ノード。
【請求項４】
前記スーパーＭＡＣ  ＰＤＵへと多重化されるＭＡＣ  ＰＤＵの数は、チャネル条件に応じて変動することが可能である、請求項１〜３のうちのいずれかに記載の中継ノード。
【請求項５】
前記プロセッサは、アクセスノードから受信したスーパーＭＡＣ  ＰＤＵを多重化解除するようにさらに構成される、請求項１〜４のうちのいずれかに記載の中継ノード。
【請求項６】
前記プロセッサは、多重化解除後に、前記スーパーＭＡＣ  ＰＤＵ内に含有される複数のＭＡＣ  ＰＤＵのそれぞれを前記複数のユーザエージェントの対応するそれぞれに伝送するようにさらに構成される、請求項５に記載の中継ノード。
【請求項７】
前記プロセッサは、前記複数のＭＡＣ  ＰＤＵのデータの総量を計算し、単一のバッファ状態報告（ＢＳＲ）を形成するようにさらに構成される、請求項１〜６のうちのいずれかに記載の中継ノード。
【請求項８】
前記プロセッサは、前記ＢＳＲが前記アクセスノードまで伝送されるようにさらに構成される、請求項７に記載の中継ノード
【請求項９】
前記プロセッサは、スケジューリンググラントのために、１つだけの無線ネットワーク一時識別子（ＲＮＴＩ）を監視するようにさらに構成され、該ＲＮＴＩは、前記中継ノードに対応している、請求項１〜８のうちのいずれかに記載の中継ノード。
【請求項１０】
１つだけのハイブリッド自動再送要求（ＨＡＲＱ）が、前記複数のＭＡＣ  ＰＤＵを多重化することによって形成されるスーパーＭＡＣ  ＰＤＵを伝送することに関して使用される、請求項１〜９のうちのいずれかに記載の中継ノード。
【請求項１１】
前記プロセッサは、エラーの検出および補正のために、物理層において、前記スーパーＭＡＣ  ＰＤＵに巡回冗長検査（ＣＲＣ）ビットを追加するようにさらに構成される、請求項１〜１０のうちのいずれかに記載の中継ノード。
【請求項１２】
中継ノードに実装される方法であって、該方法は、
該中継ノードにおいて、複数の媒体アクセス制御層（ＭＡＣ）パケットデータユニット（ＰＤＵ）を受信することと、
該複数のＭＡＣ  ＰＤＵを多重化して、スーパーＭＡＣ  ＰＤＵを形成することと
を含む、方法。
【請求項１３】
前記スーパーＭＡＣ  ＰＤＵは、前記複数のＭＡＣ  ＰＤＵと、複数のスーパーＭＡＣ  ＰＤＵサブヘッダを含むスーパーＭＡＣ  ＰＤＵヘッダとを備え、該スーパーＭＡＣ  ＰＤＵサブヘッダのそれぞれは、該複数のＭＡＣ  ＰＤＵのそれぞれと対応している、請求項１２に記載の方法。
【請求項１４】
スーパーＭＡＣ  ＰＤＵサブヘッダは、
ユーザエージェント識別情報と、
前記対応するＭＡＣ  ＰＤＵの長さと、
拡張インジケータと
のうちの少なくとも１つを備える、請求項１３に記載の方法。
【請求項１５】
前記スーパーＭＡＣ  ＰＤＵへと多重化されるＭＡＣ  ＰＤＵの数は、チャネル条件に応じて変動することが可能である、請求項１２〜１４のうちのいずれかに記載の方法。
【請求項１６】
アクセスノードから第２のスーパーＭＡＣ  ＰＤＵを受信することと、
該第２のスーパーＭＡＣ  ＰＤＵを第２の複数のＭＡＣ  ＰＤＵへと多重化解除することと
を含む、請求項１２〜１５のうちのいずれかに記載の方法。
【請求項１７】
前記第２の複数のＭＡＣ  ＰＤＵを複数のユーザエージェントの対応するそれぞれに伝送することをさらに含む、請求項１６に記載の方法。
【請求項１８】
前記複数のＭＡＣ  ＰＤＵのデータの総量を計算することと、
単一のバッファ状態報告（ＢＳＲ）を形成することと
をさらに含む、請求項１２〜１７のうちのいずれかに記載の方法。
【請求項１９】
前記ＢＳＲが前記アクセスノードに伝送されるようにすることをさらに含む、請求項１８に記載の方法。
【請求項２０】
１つの中継ノード識別（ＲＮ  ＩＤ）を使用して、物理的ダウンリンク制御チャネル上でグラントの表示を受信することをさらに含む、請求項１２〜１９のうちのいずれかに記載の方法。
【請求項２１】
スケジューリンググラントのために、１つの無線ネットワーク一時識別子（ＲＮＴＩ）を監視することをさらに含み、該ＲＮＴＩは、前記中継ノードに対応している、請求項１２〜２０のうちのいずれかに記載の方法。
【請求項２２】
前記スーパーＭＡＣ  ＰＤＵを伝送することに関して、１つだけのハイブリッド自動再送要求（ＨＡＲＱ）を使用することをさらに含む、請求項１２〜２１のうちのいずれかに記載の方法。
【請求項２３】
エラーの検出および補正のために、物理層において、前記スーパーＭＡＣ  ＰＤＵに巡回冗長検査（ＣＲＣ）ビットを追加することをさらに含む、請求項１２〜２２のうちのいずれかに記載の方法。
【請求項２４】
プロセッサを備えるアクセスノードであって、
該プロセッサは、複数の媒体アクセス制御層（ＭＡＣ）パケットデータユニット（ＰＤＵ）をスーパーＭＡＣ  ＰＤＵへと多重化するように構成され、該複数のＭＡＣ  ＰＤＵは、中継ノード上で接続保留される複数のユーザエージェントに関連している、アクセスノード。
【請求項２５】
請求項２４に記載のアクセスノードであって、前記スーパーＭＡＣ  ＰＤＵは、前記複数のＭＡＣ  ＰＤＵと、複数のスーパーＭＡＣ  ＰＤＵサブヘッダを含むスーパーＭＡＣ  ＰＤＵヘッダとを備え、該スーパーＭＡＣ  ＰＤＵサブヘッダのそれぞれは、該複数のＭＡＣ  ＰＤＵのそれぞれと対応しており、該アクセスノードは、該スーパーＭＡＣ  ＰＤＵを前記中継ノードに伝送するようにさらに構成される、アクセスノード。
【請求項２６】
スーパーＭＡＣ  ＰＤＵサブヘッダは、
ユーザエージェント識別情報と、
前記対応するＭＡＣ  ＰＤＵの長さと、
拡張インジケータと
のうちの少なくとも１つを備える、請求項２５に記載のアクセスノード。
【請求項２７】
前記スーパーＭＡＣ  ＰＤＵへと多重化されるＭＡＣ  ＰＤＵの数は、チャネル条件に応じて変動することが可能である、請求項２４〜２６のうちのいずれかに記載のアクセスノード。
【請求項２８】
前記プロセッサは、前記中継ノードから受信した第２のスーパーＭＡＣ  ＰＤＵを多重化解除するようにさらに構成される、請求項２４〜２７のうちのいずれかに記載のアクセスノード。
【請求項２９】
前記プロセッサは、単一のバッファ状態報告（ＢＳＲ）を受信するようにさらに構成される、請求項２４〜２８のいずれかに記載のアクセスノード
【請求項３０】
前記プロセッサは、１つの中継ノード識別（ＲＮ  ＩＤ）が、物理的ダウンリンク制御チャネル上で使用され、前記アクセスノードから前記中継ノードまでのリソースのグラントを表示するようにさらに構成される、請求項２４〜２９のうちのいずれかに記載のアクセスノード。
【請求項３１】
前記プロセッサは、スケジューリンググラントのために、１つの無線ネットワーク一時識別子（ＲＮＴＩ）を提供するようにさらに構成され、該ＲＮＴＩは、前記中継ノードに対応している、請求項２４〜３０のうちのいずれかに記載のアクセスノード。
【請求項３２】
１つだけのハイブリッド自動再送要求（ＨＡＲＱ）が、前記スーパーＭＡＣ  ＰＤＵを前記中継ノードに伝送することに関して使用される、請求項２４〜３１のうちのいずれかに記載のアクセスノード。
【請求項３３】
前記プロセッサは、エラーの検出および補正のために、物理層において、前記スーパーＭＡＣ  ＰＤＵに巡回冗長検査（ＣＲＣ）ビットを追加するようにさらに構成される、請求項２４〜３２のうちのいずれかに記載のアクセスノード。
【請求項３４】
アクセスノードに実装される方法であって、該方法は、
複数の媒体アクセス制御層（ＭＡＣ）パケットデータユニット（ＰＤＵ）をスーパーＭＡＣ  ＰＤＵへと多重化することを含み、該複数のＭＡＣ  ＰＤＵは、複数のユーザエージェントに関連している、方法。
【請求項３５】
多重化することは、前記スーパーＭＡＣ  ＰＤＵが、前記複数のＭＡＣ  ＰＤＵと、複数のスーパーＭＡＣ  ＰＤＵサブヘッダを含むスーパーＭＡＣ  ＰＤＵヘッダとを備えるように行われる請求項３４に記載の方法であって、該スーパーＭＡＣ  ＰＤＵサブヘッダのそれぞれは、該複数のＭＡＣ  ＰＤＵのそれぞれと対応し、該方法は、
該スーパーＭＡＣ  ＰＤＵを中継ノードに伝送すること
をさらに含む、方法。
【請求項３６】
スーパーＭＡＣ  ＰＤＵサブヘッダは、
ユーザエージェント識別情報と、
前記対応するＭＡＣ  ＰＤＵの長さと、
拡張インジケータと
のうちの少なくとも１つを含む、請求項３５に記載の方法。
【請求項３７】
前記スーパーＭＡＣ  ＰＤＵへと多重化されるＭＡＣ  ＰＤＵの数は、チャネル条件に応じて変動することが可能である、請求項３４〜３６のうちのいずれかに記載の方法。
【請求項３８】
中継ノードから受信した第２のスーパーＭＡＣ  ＰＤＵを多重化解除することをさらに含む、請求項３４〜３７のうちのいずれかに記載の方法。
【請求項３９】
単一のバッファ状態報告（ＢＳＲ）を受信することをさらに含む、請求項３４〜３８のうちのいずれかに記載の方法。
【請求項４０】
物理的ダウンリンク制御チャネル上で１つの中継ノード識別（ＲＮ  ＩＤ）を使用することであって、それにより、前記アクセスノードから中継ノードへのリソースのグラントを表示する、ことをさらに含む、請求項３４〜３９のうちのいずれかに記載の方法。
【請求項４１】
スケジューリンググラントのために、１つの無線ネットワーク一時識別子（ＲＮＴＩ）を提供することをさらに含み、該ＲＮＴＩは、前記中継ノードに対応している、請求項３４〜４０のうちのいずれかに記載の方法。
【請求項４２】
前記スーパーＭＡＣ  ＰＤＵを前記中継ノードに伝送することに関して、１つだけのハイブリッド自動再送要求（ＨＡＲＱ）を使用することをさらに含む、請求項３４〜４１のうちのいずれかに記載の方法。
【請求項４３】
エラーの検出および補正のために、物理層において、前記スーパーＭＡＣ  ＰＤＵに巡回冗長検査（ＣＲＣ）ビットを追加することをさらに含む、請求項３４〜４２のうちのいずれかに記載の方法。
【請求項４４】
コンピューティングデバイスのプロセッサによって実行可能なコンピュータ読み取り可能命令を格納するコンピュータ読み取り可能媒体であって、該コンピュータ読み取り可能命令は、請求項１２〜２３または３４〜４３に記載のいずれかの方法を該デバイスに実装させる、媒体。
【発明の詳細な説明】
【背景技術】
【０００１】
本明細書で使用される場合、用語「ユーザエージェント」および「ＵＡ」は、ある場合には、携帯電話、携帯端末、携帯式またはラップトップコンピュータ、および電気通信能力を有する類似デバイス等のモバイルデバイスを指す場合がある。そのようなＵＡは、加入者識別モジュール（ＳＩＭ）アプリケーション、汎用加入者識別モジュール（ＵＳＩＭ）アプリケーション、または可撤性ユーザ識別モジュール（Ｒ-ＵＩＭ）アプリケーションを含む、汎用集積回路カード（ＵＩＣＣ）等のＵＡおよびその関連付けられた可撤性メモリモジュールから成る場合があるが、それらに限定されない。代替として、そのようなＵＡは、そのようなモジュールを伴わずに、デバイス単体から成る場合がある。他の場合には、用語「ＵＡ」は、デスクトップコンピュータ、セットトップボックス、またはネットワーク機器等の類似能力を有するが、可搬性ではない、デバイスを指す場合がある。また、用語「ＵＡ」は、ユーザのための通信セッションを終了させることが可能な、任意のハードウェアまたはソフトウェア構成要素を指し得る。また、用語「ユーザエージェント」、「ＵＡ」、「ユーザ機器」、「ＵＥ」、「ユーザデバイス」、および「ユーザノード」は、本明細書では、互換的に使用される場合がある。
【０００２】
電気通信技術の進歩に伴って、以前は不可能であったサービスを提供可能な、より高度なネットワークアクセス機器が導入されてきている。本ネットワークアクセス機器は、従来の無線電気通信システムにおける同等機器の改良である、システムおよびデバイスを含む場合がある。そのような高度または次世代機器は、ロングタームエボリューション（ＬＴＥ）等の発展的無線通信規格に含まれ得る。例えば、ＬＴＥシステムは、拡張ノードＢ（ｅＮＢ）、無線アクセスポイント、または従来の基地局ではない類似構成要素を含む場合がある。本明細書で使用されるように、用語「アクセスノード」は、ＵＡまたは中継ノードの電気通信システム内の他の構成要素へのアクセスを可能にする、受信および伝送範囲の地理的面積を生成する、従来の基地局、無線アクセスポイント、またはＬＴＥ  ｅＮＢ等の無線ネットワークの任意の構成要素を指す。本書では、用語「アクセスノード」および「アクセスノード」は、互換的に使用され得るが、アクセスノードは、複数のハードウェアおよびソフトウェアを備え得ることを理解されたい。
【０００３】
用語「アクセスノード」は、アクセスノードまたは別の中継ノードによって生成される範囲を拡張あるいは増進させるように構成される、無線ネットワーク内の構成要素である、「中継ノード」を指すわけではない。アクセスノードおよび中継ノードは両方とも、無線通信ネットワーク内に存在し得る、無線構成要素であって、用語「構成要素」および「ネットワークノード」は、アクセスノードまたは中継ノードを指し得る。構成要素は、その構成および設置に応じて、アクセスノードまたは中継ノードとして動作する場合があることを理解されたい。しかしながら、構成要素は、アクセスノードの無線範囲が、無線通信システム内の他の構成要素にアクセスすることを要求する場合のみ、「中継ノード」と呼ばれる。加えて、２つ以上の中継ノードは、アクセスノードによって生成される範囲を拡張または増進させるために、直列的に使用され得る。
【０００４】
ＬＴＥシステムは、ＵＡとネットワークノードまたは他のＬＴＥ機器との間の無線リソースの割当、構成、および解放に関与する、無線リソース制御（ＲＲＣ）プロトコル等のプロトコルを含み得る。ＲＲＣプロトコルについては、第３世代パートナーシッププロジェクト（３ＧＰＰ）技術仕様（ＴＳ）３６．３３１に詳述されている。ＲＲＣプロトコルによると、ＵＡのための２つの基礎ＲＲＣモードは、「アイドルモード」および「接続モード」として定義される。接続モードまたは状態の間、ＵＡは、信号をネットワークと交換し、他の関連動作を行い得る一方、アイドルモードまたは状態の間、ＵＡは、その接続モード動作の少なくとも一部を停止し得る。アイドルおよび接続モード挙動については、３ＧＰＰ  ＴＳ  ３６．３０４およびＴＳ  ３６．３３１に詳述されている。
【０００５】
ＵＡ、中継ノード、およびアクセスノード間でデータを搬送する信号は、周波数、時間、およびコーディングパラメータ、ならびにネットワークノードによって指定される場合がある他の特性を有し得る。そのような特性の特有の集合を有する、これらの要素のいずれか間の接続は、リソースと称され得る。用語「リソース」、「通信接続」、「チャネル」、および「通信リンク」は、本明細書では、同義的に使用される場合がある。ネットワークノードは、典型的には、各ＵＡまたは任意の特定の時間に通信する他のネットワークノードのために、異なるリソースを確立する。
【発明の概要】
【課題を解決するための手段】
【０００６】
初めに、本開示の１つ以上の実施形態の例証的実装が後述されるが、開示されるシステムおよび／または方法は、現在既知または存在するかどうかにかかわらず、任意の数の技術を使用して、実装され得ることを理解されたい。本開示は、本明細書に例証および説明される例示的設計および実装を含め、以下に例証される例証的実装、図面、ならびに技術にいかようにも限定されるものではなく、添付の請求項の範囲とともに、それらの均等物の全範囲内において修正され得る。
【０００７】
以前は、ユーザエージェント毎に、転送ブロック当たり１つだけのＭＡＣ  ＰＤＵが伝送されていた。例えば、３ＧＰＰ技術仕様３６．３２１  ｖ８．３．０（２００８−０３）２３ページ第５段落を参照されたい。本解決策は、複数のユーザからの転送ブロックを組み合わせ得る中継ノード等のネットワークノードが存在する場合に、効率的ではない。本明細書に説明される例示的実施形態は、中継ノードと、アクセスノードまたは層三中継ノード等のネットワークノードとの間の複数のユーザの伝送を多重化する機構を提供する。
【０００８】
特に、例示的実施形態は、アクセスノードおよび複数のユーザエージェントと通信するための中継ノードを提供する。各ユーザエージェントは、中継ノードからのリソースを利用して、媒体アクセス制御層（ＭＡＣ）パケットデータユニット（ＰＤＵ）を伝送する。ＭＡＣ  ＰＤＵ内に含有される情報は、１つ以上の音声またはデータセッション、あるいは各ＵＡによって使用される他の制御情報に関連してもよい。中継ノードは、複数のユーザエージェントに対応する、複数のＭＡＣ  ＰＤＵを多重化するように構成可能である。多重化の結果、スーパーＭＡＣ  ＰＤＵが、中継ノードにおいて、生成される。次いで、スーパーＭＡＣ  ＰＤＵは、中継ノードからアクセスノードに伝送され、次に、スーパーＭＡＣ  ＰＤＵを多重化解除（ｄｅｍｕｌｔｉｐｌｅｘ）する。
【０００９】
戻り側では、アクセスノードは、特定の中継ノードによってサービス提供される、複数のユーザエージェントに送られるＭＡＣ  ＰＤＵを備えるスーパーＭＡＣ  ＰＤＵを生成可能である。次いで、アクセスノードは、スーパーＭＡＣ  ＰＤＵを中継ノードに伝送し得る。次いで、中継ノードは、スーパーＭＡＣ  ＰＤＵを多重化解除し、構成要素ＭＡＣ  ＰＤＵを各ＭＡＣ  ＰＤＵに対して対応するユーザエージェントに伝送する。
【００１０】
したがって、実施形態は、中継ノードを提供する。中継ノードは、複数のユーザエージェントに対応し、スーパーＭＡＣ  ＰＤＵを形成する、複数の媒体アクセス制御層（ＭＡＣ）パケットデータユニット（ＰＤＵ）を多重化するように構成されるプロセッサを含む。以下の図面および対応する説明は、これらの概念をさらに記載および例示する。
【００１１】
本開示のより完全な理解のために、付随の図面および発明を実施するための形態と併せて、以下の簡単な説明を参照する（類似参照番号は、類似部品を表す）。
【図面の簡単な説明】
【００１２】
【図１】図１は、本開示のある実施形態による、中継ノードを使用する無線通信システムを例示する概略図である。
【図２】図２は、本開示のある実施形態による、中継ノードを介したマルチユーザ多重化ステップを例示する概略図である。
【図３】図３は、本開示のある実施形態による、例示的スーパー媒体アクセス層パケットデータユニット（スーパーＭＡＣ  ＰＤＵ）フォーマットのブロック図である。
【図４】図４は、本開示のある実施形態による、マルチユーザ多重化ステップを伴う、例示的アップリンクプロシージャを例示する概略図である。
【図５Ａ】図５Ａは、本開示のある実施形態による、中継ノードにおけるマルチユーザ多重化ステップを例示する工程図である。
【図５Ｂ】図５Ｂは、本開示のある実施形態による、アクセスデバイスにおけるマルチユーザ多重化ステップを例示する工程図である。
【図６】図６は、本開示のいくつかの実施形態を実装するために好適なプロセッサおよび関連構成要素を例示する。
【発明を実施するための形態】
【００１３】
図１は、本開示のある実施形態による、中継ノード１０２を使用する無線通信システム１００を例示する、概略図である。概して、本開示は、無線通信ネットワークにおける中継ノードの使用に関する。無線通信ネットワークの実施例として、ＬＴＥまたはＬＴＥ−アドバンスド（ＬＴＥ−Ａ）ネットワークが挙げられるが、開示および請求される実施形態はすべて、ＬＴＥ−Ａネットワークに実装され得る。中継ノード１０２は、ＵＡ１１０から受信した信号を増幅または反復し、修正された信号をアクセスノード１０６で受信させることが可能である。中継ノード１０２のいくつかの実装では、中継ノード１０２は、データを有する信号をＵＡ１１０から受信し、次いで、新しい信号を生成し、データをアクセスノード１０６に伝送する。また、中継ノード１０２は、データをアクセスノード１０６から受信し、データをＵＡ１１０に送達可能である。中継ノード１０２は、ＵＡ１１０が、セルのためのアクセスノード１０６と直接通信するのではなく、中継ノード１０２と通信可能であるように、セルのエッジ近傍に設置される場合がある。
【００１４】
無線システムでは、セルは、受信および伝送範囲の地理的領域である。セルは、相互に重複可能である。典型的実施例では、各セルと関連付けられた１つのアクセスノードが存在する。セルのサイズは、周波数帯域、電力レベル、およびチャネル条件等の要因によって判定される。中継ノード１０２等の中継ノードを使用して、セル内またはその近傍の範囲を増大させるか、あるいはセルの範囲のサイズを拡張させることが可能である。加えて、中継ノード１０２の使用は、ＵＡ１１０がセルのためのアクセスノード１０６と直接通信する場合に使用し得るものよりも高いデータ速度または低い電力伝送で、ＵＡ１１０が中継ノード１０２にアクセス可能であるので、セル内の信号のスループットを増進させることが可能である。より高いデータ速度における伝送は、より少ないバッテリ電力を消耗することによって、より高いスペクトル効率を生成し、ＵＡ１１０に恩恵をもたらす。
【００１５】
中継ノードは、概して、３つのタイプ、すなわち、層一中継ノード、層二中継ノード、および層三中継ノードに分割可能である。層一中継ノードは、本質的に、増幅および若干の遅延以外、任意の修正を伴わずに、伝送を再伝送可能な中継器である。層二中継ノードは、受信した伝送をデコードし、デコーティングの結果を再エンコードし、次いで、再エンコードされたデータを伝送することが可能である。層三中継ノードは、完全無線リソース制御能力を有することが可能であって、したがって、アクセスノードと同様に機能することが可能である。中継ノードによって使用される無線リソース制御プロトコルは、アクセスノードによって使用されるものと同一であってもよく、中継ノードは、典型的には、アクセスノードによって使用される一意のセル識別子を有してもよい。本開示の目的のために、中継ノードは、少なくとも１つのアクセスノード（および、そのアクセスノードと関連付けられたセル）の存在または他の中継ノードに、電気通信システム内の他の構成要素にアクセスすることを要求するという事実によって、アクセスノードと区別される。例示的実施形態は、主に、層２または層三中継ノードに関係している。したがって、本明細書で使用されるように、用語「中継ノード」は、別途具体的に記述されない限り、層一中継ノードを指さない。
【００１６】
通信システム１００では、無線通信を可能にするリンクは、３つの個別のタイプであると言える。１つ目は、ＵＡ１１０が、中継ノード１０２を経由して、アクセスノード１０６と通信するとき、ＵＡ１１０と中継ノード１０２との間の通信リンクは、アクセスリンク１０８を介して生じていると言える。２つ目は、中継ノード１０２とアクセスノード１０６との間の通信は、中継リンク１０４を介して生じていると言える。３つ目は、中継ノード１０２を通過せずに、ＵＡ１１０とアクセスノード１０６との間を直接通過する通信は、直接リンク１１２を介して生じていると言える。用語「アクセスリンク」、「中継リンク」、および「直接リンク」は、図１によって説明される意味に従って、本書では使用される。
【００１７】
図２は、本開示のある実施形態による、中継ノード２００を介したマルチユーザ多重化ステップを例示する概略図である。中継ノード２００は、中継範囲２０６内において、ユーザエージェント２０２およびユーザエージェント２０４等の１つ以上のユーザエージェントから、無線通信を受信する。中継範囲２０６は、中継ノード２００が、ユーザエージェント２０２およびユーザエージェント２０４から、無線通信を受信可能な範囲の概算地理的領域を表す。次に、中継ノード２００は、ユーザエージェント２０２およびユーザエージェント２０４から、アクセスノード２０８に、無線通信を再伝送する。アクセスノード２０８は、これらの無線通信を受信し、それらをさらに処理することが可能である。最終的には、ユーザエージェント２０２およびユーザエージェント２０４からの通信は、それらの意図された目的地に到達するであろう。
【００１８】
ユーザエージェント２０２およびユーザエージェント２０４から中継ノード２００へ、そしてそこからアクセスノード２０８への通信は、アップリンク通信と呼ばれる。しかしながら、また、通信は、アクセスノード２０８から中継ノード２００、そしてそこからユーザエージェント２０２およびユーザエージェント２０４へのダウンリンク通信の際も、同様に受信され得る。
【００１９】
異なるユーザエージェントは、異なる無線通信技術または変調および符号化方式（ＭＣＳ）を使用して、中継ノード２００に情報を伝送することが可能である。例えば、ユーザエージェントは、転送ブロック（ＴＢ）と呼ばれるデータパケットを伝送することによって、中継ノードと通信してもよい。ユーザエージェント２０２は、矢印２１０によって示されるように、ターボ符号化率１／３を有する四相位相変調（ＱＰＳＫ）として知られる変調および符号化方式を使用して、転送ブロック１（ＴＢ１）２１２を伝送してもよい。しかしながら、ユーザエージェント２０４は、矢印２１４によって示されるように、ターボ符号化率１／２を有する１６直交振幅変調（１６−ＱＡＭ）として知られる変調および符号化方式を使用して、転送ブロック２（ＴＢ２）２１６を伝送してもよい。
【００２０】
中継ノード２００は、中継ノード２００とアクセスノード２０８との間のチャネル条件がより好適である場合、アクセスノード２０８との通信のために、さらに異なる変調および符号化方式を使用してもよい。例示的場合では、中継ノード２００は、アクセスノード２０８との通信のために、非常に良好な無線条件下で動作する。これらの事実のため、中継ノード２００とアクセスノード２０８とは、矢印２１８によって示されるように、超高符号化率において、６４点直交振幅変調（６４−ＱＡＭ）として知られる変調および符号化方式を経由して、通信してもよい。しかしながら、他の変調および符号化方式も、使用され得る。使用される変調および符号化方式（ＭＣＳ）に関わらず、中継ノード２００は、アクセスノード２０８に、第３の転送ブロックＴＢ３  ２２０を伝送する。ＴＢ３  ２２０は、ＴＢ１  ２１２およびＴＢ２  ２１６の両方のためのデータを含む。チャネル条件に応じて、ＴＢ３  ２２０のサイズは、可変であってもよく、異なるＵＡからのＭＡＣ  ＰＤＵを含んでもよい。
【００２１】
図２に関して説明されたシステムは、その意図された目的のために機能するが、いくつかの実施形態では、システムは、効率を向上させるために、さらに改良され得る。具体的には、矢印２１８によって表される中継リンク上において、複数のユーザエージェント媒体アクセス制御層（ＭＡＣ）パケットデータユニット（ＰＤＵ）は、スーパー媒体アクセス制御層パケットデータユニット（スーパーＭＡＣ  ＰＤＵ）に多重化可能である。
【００２２】
図３は、本開示のある実施形態による、例示的スーパー媒体アクセス制御層パケットデータユニット（スーパーＭＡＣ  ＰＤＵ）フォーマットのブロック図である。スーパーＭＡＣ  ＰＤＵ３００は、単一のスーパーＭＡＣ  ＰＤＵに多重化された媒体アクセス制御層パケットデータユニット（ＭＡＣ  ＰＤＵ）の組み合わせである。スーパーＭＡＣ  ＰＤＵ３００は、図２の矢印２１８によって示される通信として、中継ノードとアクセスノードとの間で伝送可能である。スーパーＭＡＣ  ＰＤＵ３００は、図２に示されるように、同一変調および符号化方式を使用して伝送可能であるか、またはいくつかの他の変調および符号化方式を使用し得る。例示的実施形態では、スーパーＭＡＣ  ＰＤＵ３００は、ＴＢ３  ２２０の代わりに、中継ノード２００によって送信される。
【００２３】
スーパーＭＡＣ  ＰＤＵ３００は、複数の別個の媒体アクセス層パケットデータユニット（ＭＡＣ  ＰＤＵ）から構成される。図３では、ＭＡＣ  ＰＤＵ３０２は、１つのＭＡＣ  ＰＤＵの非限定的実施例である。ＭＡＣ  ＰＤＵ３０２は、図３に示される構造を有するデータパケットである。次に、媒体アクセス層（ＭＡＣ）は、上層と物理層との間のマッピング、ハイブリッドＡＲＱ処理、転送フォーマット選択、優先処理およびスケジューリング、ならびにその他を含む、無線通信におけるいくつかの機能を有する。例示的実施形態では、媒体アクセス制御層の機能のうちの１つは、図２のユーザエージェント２０２およびユーザエージェント２０４等の複数のユーザエージェントへの共通アップリンクおよびダウンリンクリソースの分配ならびに管理である。
【００２４】
ＭＡＣ  ＰＤＵ３０２は、いくつかの構成要素を含む。例えば、ＭＡＣ  ＰＤＵ３０２は、仮想線３３０によって示されるように、いくつかのＭＡＣサブヘッダを含有する、媒体アクセス制御層ヘッダ（ＭＡＣヘッダ３０４）を含む。サブヘッダは、サブヘッダ３１８、サブヘッダ３２０、サブヘッダ３２２、サブヘッダ３２４、サブヘッダ３２６、およびパディングサブヘッダ３２８を含むが、これらに限定されない。これらのサブヘッダは、３ＧＰＰ技術仕様に規定の容認される技術規格に従って、ＭＡＣ  ＰＤＵ３０２に有用な情報を含有する。加えて、ＭＡＣ  ＰＤＵ３０２は、ＭＡＣ制御要素３０６およびＭＡＣ制御要素３０８等のいくつかのＭＡＣ制御要素を含んでもよいが、これらに限定されない。また、ＭＡＣ  ＰＤＵ３０２は、ＭＡＣ  ＳＤＵ３１０およびＭＡＣ  ＳＤＵ３１２等のいくつかのＭＡＣサービスデータユニット（ＭＡＣ  ＳＤＵ）を含み得るが、これらに限定されない。選択的に、ＭＡＣ  ＰＤＵ３０２は、データパディング３１４を含む。仮想線３１６によって示されるように、これらの要素はすべて、１つのＭＡＣ  ＰＤＵ３０２に組み合わさられる。
【００２５】
以前は、ユーザエージェント毎に、転送ブロック当たり最大１つのＭＡＣ  ＰＤＵが伝送可能であった。例えば、３ＧＰＰ技術仕様３６．３２１  ｖ８．１．０（２００８−０３）２３ページ第５段落を参照されたい。上述のように、本明細書に説明される例示的実施形態は、中継ノードとアクセスノードとの間の複数のユーザの伝送を多重化することによって、この制限を克服する機構を提供する。
【００２６】
スーパーＭＡＣ  ＰＤＵ３００は、ＭＡＣ  ＰＤＵ３０２を含み、さらに、ＭＡＣ  ＰＤＵ３３６、ＭＡＣ  ＰＤＵ３３８、およびＭＡＣ  ＰＤＵ３４０等の１つ以上の付加的なＭＡＣ  ＰＤＵを含んでもよい。これらの付加的な媒体アクセス層パケットデータユニット（ＭＡＣ  ＰＤＵ）はそれぞれ、ＭＡＣ  ＰＤＵ３０２に関して示されるものと類似構造を有する。ＭＡＣ  ＰＤＵ３０２、ＭＡＣ  ＰＤＵ３３６、ＭＡＣ  ＰＤＵ３３８、およびＭＡＣ  ＰＤＵ３４０はそれぞれ、スーパーＭＡＣ  ＰＤＵ３００へと多重化される。
【００２７】
スーパーＭＡＣ  ＰＤＵ３００のサイズは、物理層から要求される転送ブロックサイズ（ＴＢＳ）以下であってもよい。例えば、パディングが、スーパーＭＡＣ  ＰＤＵ３００に追加され、物理層から要求されたＴＢＳを充填してもよい。スーパーＭＡＣ  ＰＤＵ３００に多重化されるＭＡＣ  ＰＤＵの数は、可変であってもよい。スーパーＭＡＣ  ＰＤＵに多重化されるＭＡＣ  ＰＤＵの数を変更し得る要因の１つは、チャネル条件である。例えば、チャネル条件が良好である場合、異なるＵＡからのより多くのＭＡＣ  ＰＤＵが、単一のスーパーＭＡＣ  ＰＤＵに多重化され得る。チャネル条件が不良である場合、より少ないＭＡＣ  ＰＤＵが、スーパーＭＡＣ  ＰＤＵに多重化され得る。
【００２８】
スーパーＭＡＣ  ＰＤＵが形成され、伝送のために、物理層に送達された後に、巡回冗長検査（ＣＲＣ）ビットが、エラー検出および補正のために、スーパーＭＡＣ  ＰＤＵにアペンドされ得る。ＣＲＣビットは、中継ノードとアクセスノードとの間の伝送のエラー検出および補正のために、使用されてもよい。例えば、ダウンリンク中継リンク上では、中継ノードが、中継ノードにおいて、ＣＲＣ検査を使用して、スーパーＭＡＣ  ＰＤＵの受信が成功したと判定する場合、中継ノードは、ハイブリッド自動再送要求（ＨＡＲＱ）肯定応答をアクセスノードに伝送し得る。ＣＲＣ検査が、中継ノードにおいて、スーパーＭＡＣ  ＰＤＵの受信が成功しなかったことを示す場合、中継ノードは、ＨＡＲＱ否定応答をアクセスノードに伝送してもよく、アクセスノードは、相応して、スーパーＭＡＣ  ＰＤＵのＨＡＲＱ再伝送を行ってもよい。
【００２９】
また、スーパーＭＡＣ  ＰＤＵ３００は、他の構成要素を含んでもよい。例えば、スーパーＭＡＣ  ＰＤＵ３００は、スーパーＭＡＣ  ＰＤＵヘッダ３２２を含むことが可能である。また、スーパーＭＡＣ  ＰＤＵ３００は、任意のパディングデータ３４２を含んでもよい。例えば、スーパーＭＡＣ  ＰＤＵの全長を生成するために、整数のバイト数の任意の非必須パディングデータ３４２が、含まれてもよい。
【００３０】
仮想線３４４によって示されるように、スーパーＭＡＣ  ＰＤＵヘッダ３２２は、スーパーＭＡＣサブヘッダ３４６、スーパーＭＡＣサブヘッダ３４８、マルチＭＡＣサブヘッダ３５０、およびスーパーＭＡＣサブヘッダ３５２等の１つ以上のスーパーＭＡＣサブヘッダを含むが、これらに限定されない。各スーパーＭＡＣサブヘッダは、スーパーＭＡＣ  ＰＤＵ３００内の特定のＭＡＣ  ＰＤＵに対応する。本実施例では、各スーパーＭＡＣ  ＰＤＵサブヘッダは、バイト単位で揃えられる。
【００３１】
次に、仮想線３５４によって示されるように、各スーパーＭＡＣサブヘッダは、いくつかの構成要素を含む。例えば、スーパーＭＡＣサブヘッダ３４６は、少なくとも、ユーザエージェント識別３５６（ＵＡ  ＩＤ３５６）、ＭＡＣ  ＰＤＵの長さ３５８、および拡張インジケータ３６０を含む。ユーザエージェント識別３５６は、所与の媒体アクセス制御層パケットデータユニット（ＭＡＣ  ＰＤＵ）と関連付けられた特定のユーザエージェントを識別する。ＭＡＣ  ＰＤＵの長さ３５８は、対応するユーザエージェントのためのスーパーＭＡＣ  ＰＤＵ内に含有されるＭＡＣ  ＰＤＵの長さを示す。拡張インジケータ３６０は、現在のＭＡＣ  ＰＤＵサブヘッダ後にさらにＭＡＣ  ＰＤＵサブヘッダが存在するかどうかを示す。拡張インジケータ３６０は、単一ビットとして実装可能である。
【００３２】
使用時、中継リンクを介したダウンリンク通信では、中継ノードのためのＭＡＣは、スーパーＭＡＣ  ＰＤＵを分解し、したがって、その中に含有される各ＭＡＣ  ＰＤＵを送達または転送するであろう。本プロセスは、図４に関して、さらに説明される。
【００３３】
図４は、本開示のある実施形態による、マルチユーザ多重化ステップを伴う、例示的アップリンクプロシージャを例示する、概略図である。図４は、図２に類似している。したがって、図４の参照番号は、図２と同一参照番号に対するアイテムと類似アイテムを指し、類似特性を有する。しかしながら、図４では、スーパーＭＡＣ  ＰＤＵ３００は、中継ノード２００とアクセスノード２０８との間で伝送される。図４に示されるプロセスは、中継ノード２００およびアクセスノード２０８上の対応するプロセッサを使用して実装可能であって、対応するプロセッサは、本明細書に説明される機能を実行するように構成される。
【００３４】
アップリンク上では、最初に、中継ノード２００のための媒体アクセス制御層（ＭＡＣ）が、ユーザエージェントのバッファすべてからのアップリンク伝送の総データ量を計算する（これは、すべての可能性のあるヘッダ、例えば、ＭＡＣ層ヘッダ、無線リンク制御層ヘッダ等を含んでもよい）。次いで、中継ノード２００のためのＭＡＣが、単一の組み合わされたバッファ状態報告（ＢＳＲ４００）を形成する。次いで、中継ノード２００は、バッファ状態報告をアクセスノード２０８に伝送する。次に、アクセスノード２０８は、アップリンク通信のための十分なリソースを中継ノード２００に許可するであろう。アクセスノード２０８は、物理的ダウンリンク制御チャネル（ＰＤＣＣＨ４０２）上で中継ノード識別（ＲＮ  ＩＤ）のみ使用して、リソースのグラント（ｇｒａｎｔ）を示してもよく、特定のユーザエージェント識別を含まなくてもよい。
【００３５】
ＰＤＣＣＨグラントを受信後、中継ノードの媒体アクセス制御層は、スーパーＭＡＣ  ＰＤＵ３００を形成し、配分されたアップリンクリソースにおいて、スーパーＭＡＣ  ＰＤＵ３００をアクセスノード２０８に伝送し得る。この伝送は、１つのハイブリッド自動再送要求（ＨＡＲＱ  ４０４）を使用して例示されるが、複数のＨＡＲＱも使用され得る。スーパーＭＡＣ  ＰＤＵ３００を受信後、アクセスノード２０８スーパーＭＡＣ  ＰＤＵ３００を多重化解除し、相応して、各結果として生じる構成要素媒体アクセス層パケットデータユニット（ＭＡＣ  ＰＤＵ）を送達する。
【００３６】
上述の説明は、この場合もやはり、中継ノード２００からアクセスノード２０８への通信を含む、アップリンク通信に関する。類似プロシージャが、この場合もやはり、アクセスノード２０８から中継ノード２００への通信であるダウンリンク通信の際に、逆に行われる。ダウンリンク通信の場合、アクセスノード２０８は、特定の中継ノード２００を利用する、ユーザエージェントすべてへの通信のためのスーパーＭＡＣ  ＰＤＵ３００を形成する。次いで、アクセスノード２０８は、スーパーＭＡＣ  ＰＤＵ３００を中継ノード２００に送達する。次いで、中継ノード２００媒体アクセス層は、スーパーＭＡＣ  ＰＤＵ３００を分解する（多重化解除する）。次いで、中継ノード２００は、各結果として生じる構成要素媒体アクセス層パケットデータユニット（ＭＡＣ  ＰＤＵ）を各対応するユーザエージェントのための対応する無線リンク制御（ＲＬＣ）層に送達してもよい。次いで、中継ノード２００は、おそらく、対応するユーザエージェントの個々の無線条件に応じて、各対応するユーザエージェントのための異なる変調および符号化方式を使用して、データを各対応するユーザエージェントに転送する。
【００３７】
例示的実施形態は、周知の技術に勝るいくつかの利点を提示する。例えば、より大きな転送ブロック（ＴＢ）サイズによって、高い符号化増幅率が可能である。複数の媒体アクセス層パケットデータユニット（ＭＡＣ  ＰＤＵ）をともに連結することによって、転送ブロックサイズが増加させられる。本転送ブロックサイズの増加は、潜在的に、ターボ符号化増幅率も増加させる。
【００３８】
加えて、スーパーＭＡＣ  ＰＤＵを使用することによって、いくつかの実施形態では、物理的ダウンリンク制御チャネル（ＰＤＣＣＨ）オーバヘッド削減を達成することが可能である。例えば、アクセスノード２０８は、中継リンク上のユーザエージェント当たり複数のＰＤＣＣＨグラントの代わりに、アップリンクまたはダウンリンクのための単一ＰＤＣＣＨグラントのみを伝送することが必要であってもよい。単一ＰＤＣＣＨグラントのみを伝送することは、潜在的に、物理的ダウンリンク制御チャネル（ＰＤＣＣＨ）の容量を増加させる。
【００３９】
さらに、スーパーＭＡＣ  ＰＤＵを使用することによって、バッファ状態報告およびスケジューリング要求（ＳＲ）信号伝達の削減を可能にする。複数のユーザエージェントのＭＡＣ  ＰＤＵをともに多重化することによって、バッファ状態報告は、中継ノードを利用する複数のユーザエージェントのための結合バッファ状態報告となる。したがって、複数のバッファ状態報告が、中継リンク上の各ユーザエージェントのために伝送される必要はない。また、本結果は、ＳＲにも当てはまる。故に、ユーザエージェント当たり１つのＳＲチャネルではなく、１つのみのＳＲチャネルが、中継リンクのために必要とされる。
【００４０】
さらに、複数のユーザエージェントのＭＡＣ  ＰＤＵをともに多重化することによって、中継ノード２００は、ＰＤＣＣＨグラントのために、１つの無線ネットワーク一時識別子（ＲＮＴＩ）のみを監視する。具体的には、中継ノード２００は、中継ノード２００のＲＮＴＩのみを監視する。本プロシージャは、中継ノード２００におけるＰＤＣＣＨの受信を簡素化する。
【００４１】
一方、アクセスリンク上では、各ユーザエージェントは、接続と関連付けられた対応する個々のＨＡＲＱプロセスを有する。複数のユーザエージェントのＭＡＣ  ＰＤＵをともに多重化することによって、中継ノード上の全ユーザエージェントのために、中継リンク上で１つのみのハイブリッド自動再送要求（ＨＡＲＱ）プロセスを利用することが可能となってもよい。したがって、中継リンク上にスーパーＭＡＣ  ＰＤＵを提供することは、ＨＡＲＱリソースの利用を改善する。
【００４２】
図５Ａは、本開示のある実施形態による、中継ノードにおけるマルチユーザ多重化ステップを例示する、工程図である。図５Ａに示されるプロセスは、図２、図３、および図４に関連して説明されたデバイスおよび方法を使用して、実装可能である。図５Ａに示されるプロセスの要素は、図２の中継ノード２００等の中継ノードにおいて、ハードウェア、ソフトウェア、またはそれらの組み合わせによって、実装可能である。
【００４３】
プロセスは、中継ノードが、複数の媒体アクセス制御層（ＭＡＣ）パケットデータユニット（ＰＤＵ）を受信することによって開始し、複数のＭＡＣ  ＰＤＵが、対応する複数のユーザエージェントから受信される（ブロック５００Ａ）。ある実施形態では、中継ノードは、層二中継ノードであるが、中継ノードは、異なる種類の中継ノードであり得る。次に、中継ノードは、複数のＭＡＣ  ＰＤＵを多重化することにより、スーパーＭＡＣ  ＰＤＵを形成する（ブロック５０２Ａ）。
【００４４】
例示的実施形態では、中継ノードは、スーパーＭＡＣ  ＰＤＵ内の複数のＭＡＣ  ＰＤＵの総データ量を計算する（ブロック５０４Ａ）。別の例示的実施形態では、次いで、中継ノードは、単一バッファ状態報告（ＢＳＲ）を形成する（ブロック５０６Ａ）。さらに別の例示的実施形態では、次いで、中継ノードは、バッファ状態報告をアクセスノードに伝送させる（ブロック５０８Ａ）。さらに別の例示的実施形態では、中継ノードは、ＰＤＣＣＨグラントのための１つのみの無線ネットワーク一時識別子（ＲＮＴＩ）を監視し、ＲＮＴＩは、中継ノードに対応する（ブロック５１０Ａ）。伝送のためのスーパーＭＡＣ  ＰＤＵを準備する際に使用されるプロシージャに関わらず、中継ノードは、スーパーＭＡＣ  ＰＤＵをアクセスノードに伝送する（ブロック５１２Ａ）。その後、プロセスは、終了する。
【００４５】
図５Ａのプロセスは、複数のＭＡＣ  ＰＤＵを受信し、アクセスノードへの伝送のために、それらをスーパーＭＡＣ  ＰＤＵに多重化する中継ノードを指すが、プロセスは、反転することが可能である。したがって、中継ノードは、スーパーＭＡＣ  ＰＤＵをアクセスノードから受信し、次いで、スーパーＭＡＣ  ＰＤＵを多重化解除し、複数のＭＡＣ  ＰＤＵを読み出し得る。次いで、中継ノードは、中継ノードとの通信において、各結果として生じる個々のＭＡＣ  ＰＤＵを対応するユーザエージェントに伝送するであろう。
【００４６】
図５Ｂは、本開示のある実施形態による、アクセスノードにおけるマルチユーザ多重化ステップを例示する工程図である。図５Ｂに示されるプロセスは、図２、図３、および図４に関連して説明されるデバイスおよび方法を使用して実装可能である。図５Ｂに示されるプロセスの要素は、図２の中継ノード２００およびアクセスノード２０８等の中継ノードおよび／またはアクセスノードにおいて、ハードウェア、ソフトウェア、またはそれらの組み合わせを使用して実装可能である。図５Ｂに示されるプロセスは、図５Ａに示されるプロセスと併せて生じることが可能である。
【００４７】
ある例示的実施形態では、アクセスノードは、スーパーＭＡＣ  ＰＤＵを中継ノードに伝送するために十分なリソースを許可する（ブロック５００Ｂ）。別の例示的実施形態では、アクセスノードは、スーパーＭＡＣ  ＰＤＵが伝送される中継ノードに対応する、１つのみの中継ノード識別（ＲＮ  ＩＤ）を使用して、物理的ダウンリンク制御チャネル（ＰＤＣＣＨ）上でグラントを示す（ブロック５０２Ｂ）。
【００４８】
中継ノードからの伝送の受信を準備するために使用されるプロシージャに関わらず、アクセスノードは、中継ノードからスーパーＭＡＣ  ＰＤＵを受信する（ブロック５０４Ｂ）。次いで、アクセスノードは、スーパーＭＡＣ  ＰＤＵを複数の構成要素ＭＡＣ  ＰＤＵに多重化解除する（ブロック５０６Ｂ）。次いで、アクセスノードは、複数の構成要素ＭＡＣ  ＰＤＵのそれぞれを処理し、複数のユーザエージェントの対応するそれぞれの上層の対応するそれぞれに送達する（ブロック５０８Ｂ）。その後、プロセスは、終了する。
【００４９】
図５Ｂのプロセスは、スーパーＭＡＣ  ＰＤＵを受信し、複数のユーザエージェントの上層への伝送のための構成要素ＭＡＣ  ＰＤＵに多重化解除するアクセスノードを指すが、プロセスは、反転可能である。したがって、アクセスノードは、複数の構成要素ＭＡＣ  ＰＤＵをスーパーＭＡＣ  ＰＤＵに多重化し得る。次いで、アクセスノードは、結果として生じるスーパーＭＡＣ  ＰＤＵを中継ノードに伝送するであろう。
【００５０】
上述のように、次いで、中継ノードは、スーパーＭＡＣ  ＰＤＵを多重化解除し、結果として生じる構成要素ＭＡＣ  ＰＤＵを複数のユーザエージェントの対応するそれぞれに伝送し得る。したがって、図５Ａおよび図５Ｂによって表されるプロセスは、複数の構成要素ＭＡＣ  ＰＤＵをいくつかのスーパーＭＡＣ  ＰＤＵに多重化するステップと、いくつかのスーパーＭＡＣ  ＰＤＵを伝送するステップと、いくつかのスーパーＭＡＣ  ＰＤＵを多重化解除するステップと、スーパーＭＡＣ  ＰＤＵが多重化解除されると、相応して、ユーザエージェントの対応する上層等に構成要素ＭＡＣ  ＰＤＵを伝送するステップとを想定する。
【００５１】
ＵＡ１１０および上述の他の構成要素は、上述の作用に関連する命令を実行可能である、処理構成要素を含む場合がある。図６は、本明細書に開示される１つ以上の実施形態を実装するために好適な処理構成要素１３１０を含む、システム１３００の実施例を例示する。プロセッサ１３１０（中央処理装置またはＣＰＵと称され得る）に加え、システム１３００は、ネットワーク接続デバイス１３２０、ランダムアクセスメモリ（ＲＡＭ）１３３０、読取専用メモリ（ＲＯＭ）１３４０、二次記憶装置１３５０、および入／出力（Ｉ／Ｏ）デバイス１３６０を含む場合がある。これらの構成要素は、バス１３７０を経由して、相互に通信する場合がある。ある場合には、これらの構成要素のうちのいくつかは、存在しなくてもよく、または相互または図示されない他の構成要素との種々の組み合わせで組み合わされてもよい。これらの構成要素は、単一の物理的エンティティまたは２つ以上の物理的エンティティ内に位置する場合がある。プロセッサ１３１０によって行われる、本明細書に説明される任意の作用は、プロセッサ１３１０単独によって、あるいはデジタル信号プロセッサ（ＤＳＰ）５０２等の図面に図示されるか、または図示されない１つ以上の構成要素と併せて、プロセッサ１３１０によって行われる場合がある。ＤＳＰ５０２は、別個の構成要素として示されるが、ＤＳＰ５０２は、プロセッサ１３１０内に組み込まれる場合がある。
【００５２】
プロセッサ１３１０は、ネットワーク接続デバイス１３２０、ＲＡＭ１３３０、ＲＯＭ１３４０、または二次記憶装置１３５０（ハードディスク、フロッピー（登録商標）ディスク、または光ディスク等の種々のディスクベースのシステムを含む場合がある）からアクセスし得る、命令、コード、コンピュータプログラム、あるいはスクリプトを実行する。１つのＣＰＵ１３１０のみ示されるが、複数のプロセッサが存在してもよい。したがって、命令は、プロセッサによって実装されるように論じられ得るが、命令は、１つまたは複数のプロセッサによって、同時に、連続的に、または別様に実行されてもよい。プロセッサ１３１０は、１つ以上のＣＰＵチップとして実装されてもよい。
【００５３】
ネットワーク接続デバイス１３２０は、モデム、モデムバンク、イーサネット（登録商標）デバイス、ユニバーサルシリアルバス（ＵＳＢ）インターフェースデバイス、シリアルインターフェース、トークンリングデバイス、光ファイバー分散データインタフェース（ＦＤＤＩ）デバイス、無線ローカルエリアネットワーク（ＷＬＡＮ）デバイス、符号分割多重アクセス方式（ＣＤＭＡ）デバイス等の無線送受信機デバイス、グローバル・システム・フォー・モバイル・コミュニケーションズ（ＧＳＭ）無線送受信機デバイス、ワイマックス（ＷｉＭＡＸ）デバイス、および／またはネットワークに接続するための他の周知のデバイスの形態をとってもよい。これらのネットワーク接続デバイス１３２０によって、プロセッサ１３１０は、プロセッサ１３１０が情報を受信する、またはプロセッサ１３１０が情報を出力し得る、インターネットまたは１つ以上の電気通信ネットワークまたは他のネットワークと通信可能となり得る。また、ネットワーク接続デバイス１３２０は、データを無線で伝送および／または受信可能な１つ以上の送受信機構成要素１３２５を含む場合がある。
【００５４】
ＲＡＭ１３３０は、揮発性データと、おそらく、プロセッサ１３１０によって実行される命令とを格納するために使用される場合がある。ＲＯＭ１３４０は、典型的には、二次記憶装置１３５０のメモリ容量より小さいメモリ容量を有する、不揮発性メモリデバイスである。ＲＯＭ１３４０は、命令と、おそらく、命令の実行の際に読み取られるデータとを格納するために使用される場合がある。ＲＡＭ１３３０およびＲＯＭ１３４０の両方へのアクセスは、典型的には、二次記憶装置１３５０へよりも高速である。二次記憶装置１３５０は、典型的には、１つ以上のディスクドライプまたはテープドライブから構成され、データの不揮発性記憶のため、またはＲＡＭ１３３０が、全作業データを保持するために十分な大きさではない場合、オーバーフローデータ記憶デバイスとして、使用される場合がある。二次記憶装置１３５０は、プログラムが、実行のために選択されると、ＲＡＭ１３３０にロードされる、そのようなプログラムを記憶するために使用されてもよい。
【００５５】
Ｉ／Ｏデバイス１３６０は、液晶ディスプレイ（ＬＣＤ）、タッチスクリーンディスプレイ、キーボード、スイッチ、ダイヤル、マウス、トラックボール、音声認識装置、カードリーダ、ペーパーテープリーダ、プリンタ、ビデオモニタ、または他の周知の入力デバイスを含んでもよい。また、送受信機１３２５は、ネットワーク接続デバイス１３２０の構成要素の代わりに、またはそれに加えて、Ｉ／Ｏデバイス１３６０の構成要素であると見なされる場合がある。
【００５６】
以下は、あらゆる目的のために、参照することによって本明細書に組み込まれる。第３世代パートナーシッププロジェクト（３ＧＰＰ）技術仕様（ＴＳ）３６．３００および３ＧＰＰ  ＴＳ  ３６．３２１。
【００５７】
本明細書に説明されるように、例示的実施形態は、アクセスノードおよび複数のユーザエージェントとの通信において、中継ノードを備えるデバイスを提供する。中継ノードは、層二中継ノードまたは層三中継ノードを備える。さらに、中継ノードは、複数のユーザエージェントに対応する、複数の媒体アクセス制御層（ＭＡＣ）パケットデータユニット（ＰＤＵ）を多重化するように構成される第１のプロセッサを備える。複数のＭＡＣ  ＰＤＵが多重化されると、スーパーＭＡＣ  ＰＤＵへと多重化される。
【００５８】
また、例示的実施形態は、中継ノードに実装される方法を提供する。複数の媒体アクセス制御層（ＭＡＣ）パケットデータユニット（ＰＤＵ）は、中継ノードで受信される。複数のＭＡＣ  ＰＤＵは、対応する複数のユーザエージェントから受信される。中継ノード、層二中継ノードまたは層三中継ノードを備える。複数のＭＡＣ  ＰＤＵは、多重化され、スーパーＭＡＣ  ＰＤＵを形成する。
【００５９】
また、例示的実施形態は、中継ノードと通信するように構成されるアクセスノードを備えるデバイスを提供する。アクセスノードは、複数の媒体アクセス制御層（ＭＡＣ）パケットデータユニット（ＰＤＵ）をマルチＭＡＣ  ＰＤＵに多重化するように構成される。ＭＡＣ  ＰＤＵは、中継ノード上において接続保留される複数のユーザエージェントに関連する。
【００６０】
また、例示的実施形態は、アクセスノードに実装される方法を提供する。方法は、複数の媒体アクセス制御層（ＭＡＣ）パケットデータユニット（ＰＤＵ）をスーパーＭＡＣ  ＰＤＵに多重化するステップを備える。ＭＡＣ  ＰＤＵは、アクセスノードとの通信において、中継ノードを利用する複数のユーザエージェントに関連する。
【００６１】
したがって、実施形態は、複数のユーザエージェントに対応し、スーパーＭＡＣ  ＰＤＵを形成する、複数の媒体アクセス制御層（ＭＡＣ）パケットデータユニット（ＰＤＵ）を多重化するように構成されるプロセッサを含む、中継ノードを提供する。
【００６２】
また、例示的実施形態は、中継ノードに実装される方法を提供する。複数の媒体アクセス制御層（ＭＡＣ）パケットデータユニット（ＰＤＵ）は、中継ノードで受信される。複数のＭＡＣ  ＰＤＵは、多重化され、スーパーＭＡＣ  ＰＤＵを形成する。
【００６３】
さらに、例示的実施形態は、アクセスノードを提供する。アクセスノードは、複数の媒体アクセス制御層（ＭＡＣ）パケットデータユニット（ＰＤＵ）をスーパーＭＡＣ  ＰＤＵに多重化するように構成される、プロセッサを含む。複数のＭＡＣ  ＰＤＵは、中継ノード上に接続保留される、複数のユーザエージェントに関連する。
【００６４】
さらに、例示的実施形態は、アクセスノードに実装される方法を提供する。複数の媒体アクセス制御層（ＭＡＣ）パケットデータユニット（ＰＤＵ）は、スーパーＭＡＣ  ＰＤＵに多重化される。複数のＭＡＣ  ＰＤＵは、複数のユーザエージェントに関連する。
【００６５】
いくつかの実施形態が、本開示に提供されたが、開示されるシステムおよび方法は、本開示の精神または範囲から逸脱することなく、多くの他の特定の形態において具現化されてもよいことを理解されたい。本実施例は、限定ではなく、例示として見なされ、本明細書に与えられる詳細に限定されないことが意図される。例えば、種々の要素または構成要素は、組み合わされるか、または別のシステムに統合されてもよく、あるいはある特徴は、省略されるか、または実装されなくてもよい。
【００６６】
また、個別または別個として、種々の実施形態に説明および例示される、技術、システム、サブシステム、ならびに方法は、本開示の範囲から逸脱することなく、他のシステム、モジュール、技術、または方法と組み合わされるか、あるいは統合されてもよい。結合されるか、または直接結合されるか、あるいは相互に通信するように示され、論じられる他のアイテムは、電気的に、機械的に、または別様であるかに関わらず、いくつかのインターフェース、デバイス、あるいは中間構成要素を介して間接的に結合されるか、もしくは通信し得る。変更、代用、および改変の他の実施例も、当業者によって究明可能であって、本明細書に開示される精神および範囲から逸脱することなくなされ得る。
【図１】
2012512600.tif 000003
【図２】
2012512600.tif 000004
【図３】
2012512600.tif 000005
【図４】
2012512600.tif 000006
【図５Ａ】
2012512600.tif 000007
【図５Ｂ】
2012512600.tif 000008
【図６】
2012512600.tif 000009
【国際調査報告】
2012512600.tif 000010
2012512600.tif 000011
2012512600.tif 000012